(57)【要約】【課題】イカ又はサンマ類を傷めることなく、長時間にわたり鮮度を保持できる、取扱い容易なイカ又はサンマ類輸送用断熱容器を提供する。【解決手段】底部２及び周壁部３を備えた上端開放の断熱容器であって、断熱容器の内部空間４が、上部に保冷材５を収納するスペース６を残して、直交する１乃至複数の縦板と横板とから成る所定高さの区画板７，７…により上端開放の複数の区画室８，８…に区画され、複数の区画室８，８…に夫々一匹のイカ又はサンマ類２３を収納し、スペース６に保冷材５を収納するように構成したイカ又はサンマ類輸送用断熱容器１を提供する。区画板７，７…は、底部２及び周壁部３と一体成型により一体に形成されている。又、周壁部３の上端内側部には上方に所定幅で所定高さ突出する内側周壁部２１が形成され、底部２下面外周部近傍には、内側周壁部２１を挿入できる所定幅で所定深さの溝２２が全周に及んで形成されている。【選択図】図２
2012006612.tif 000002
【特許請求の範囲】
【請求項１】
底部及び周壁部を備えた上端開放の断熱容器に於いて、前記断熱容器の内部空間が、上部に保冷材を収納するスペースを残して、所定高さの区画板により上端開放の複数の区画室に区画され、前記複数の区画室に夫々一匹のイカ又はサンマ類を収納し、前記スペースに保冷材を収納するように構成したことを特徴とするイカ又はサンマ類輸送用断熱容器。
【請求項２】
前記底部は平面視略方形状に形成され、前記内部空間は直交する１乃至複数の縦板と１乃至複数の横板とで区画されることを特徴とする請求項１記載のイカ又はサンマ類輸送用断熱容器。
【請求項３】
前記区画板は、前記底部及び周壁部と一体に形成されていることを特徴とする請求項１又は２に記載のイカ又はサンマ類輸送用断熱容器。
【請求項４】
前記周壁部の上端内側部には上方に所定幅で所定高さ突出する内側周壁部が形成され、前記底部下面外周部近傍には、前記内側周壁部を挿入できる所定幅で所定深さの溝が全周に及んで形成されていることを特徴とする請求項１乃至３のうちいずれか一に記載のイカ又はサンマ類輸送用断熱容器。
【請求項５】
前記周壁部上端に蓋をするための蓋体を備え、前記蓋体は、下面外周部近傍に、前記内側周壁部を挿入する所定幅で所定深さの溝が全周に及んで形成されていることを特徴とする請求項４記載のイカ又はサンマ類輸送用断熱容器。
【請求項６】
請求項１乃至５のうちいずれか一に記載のイカ又はサンマ類輸送用断熱容器に於ける前記複数の区画室の少なくとも一室に一室当たり一匹のイカ又はサンマ類を収納し、前記スペースに保冷材を収納することを特徴とするイカ又はサンマ類輸送用断熱容器の使用方法。
【発明の詳細な説明】
【技術分野】
【０００１】
本発明は、イカ又はサンマ類を傷めることなく、長時間にわたり鮮度を保持できる、取扱い容易なイカ又はサンマ類輸送用断熱容器及びその使用方法に関する。
【背景技術】
【０００２】
従来のイカ又はサンマ類の輸送に於いては、その輸送用容器として、例えば図６（ａ）に示すような一端開放の発泡スチロールの容器４１が用いられており、発泡スチロールの容器４１の内部空間に氷を敷き詰め、その上に、例えばイカ４２，４２…を収納して蓋をし、輸送していた。
然しながら、この輸送用容器の場合、収納されたイカ４２，４２…どうしが接触するため、イカ４２，４２…どうしの互いの接触により、時間の経過と共に、図６（ｂ）に示すようにイカ４２，４２…の色が白く変色し、鮮度が低下したり、腐ったりする問題があった。又、サンマ類に於いても、同様にサンマ類どうしの互いの接触により、鮮度が低下したり、腐ったりする問題があった。
【０００３】
此種技術の先行文献としては、例えば、特許文献１があり、特許文献１には、収容する被保冷物を互いに接触しない状態で多段に配置することができ、被保冷物どうしが接触することによる鮮度低下を招くことなく、長時間にわたり鮮度を維持することが可能であるという保冷運搬用容器が記載されている。
【先行技術文献】
【特許文献】
【０００４】
【特許文献１】特開平１１−１０００６９号公報
【発明の概要】
【発明が解決しようとする課題】
【０００５】
前述したように、従来技術の輸送用容器はイカ又はサンマ類が互いの接触により、色が白く変色したり、鮮度が低下したり、腐ったりする問題があった。また、氷や、氷が解けた水は取扱いが煩雑であり、氷が解けた水が漏水する虞があった。
【０００６】
特許文献１は、被保冷物を互いに接触しない状態で多段に配置するが、同段に置かれた被保冷物は互いに接触する可能性があり、それによって、鮮度の低下の虞がある。また、氷を用いるため、前述したように、取扱いが煩雑であったり、氷が解けた水が漏水する虞がある。
【０００７】
以上の現状に鑑み、本発明は、イカ又はサンマ類を傷めることなく、長時間にわたり鮮度を保持できる、取扱い容易なイカ又はサンマ類輸送用断熱容器及びその使用方法を提供することを目的とする。
【課題を解決するための手段】
【０００８】
上記の課題を解決すべく、本発明は以下の構成を提供する。
請求項１に係る発明は、底部及び周壁部を備えた上端開放の断熱容器に於いて、前記断熱容器の内部空間が、上部に保冷材を収納するスペースを残して、所定高さの区画板により上端開放の複数の区画室に区画され、前記複数の区画室に夫々一匹のイカ又はサンマ類を収納し、前記スペースに保冷材を収納するように構成したことを特徴とするイカ又はサンマ類輸送用断熱容器を提供するものである。
【０００９】
請求項２に係る発明は、前記底部は平面視略方形状に形成され、前記内部空間は直交する１乃至複数の縦板と１乃至複数の横板とで区画されることを特徴とする請求項１記載のイカ又はサンマ類輸送用断熱容器を提供するものである。
【００１０】
請求項３に係る発明は、前記区画板は、前記底部及び周壁部と一体に形成されていることを特徴とする請求項１又は２に記載のイカ又はサンマ類輸送用断熱容器を提供するものである。
【００１１】
請求項４に係る発明は、前記周壁部の上端内側部には上方に所定幅で所定高さ突出する内側周壁部が形成され、前記底部下面外周部近傍には、前記内側周壁部を挿入できる所定幅で所定深さの溝が全周に及んで形成されていることを特徴とする請求項１乃至３のうちいずれか一に記載のイカ又はサンマ類輸送用断熱容器を提供するものである。
【００１２】
請求項５に係る発明は、前記周壁部上端に蓋をするための蓋体を備え、前記蓋体は、下面外周部近傍に、前記内側周壁部を挿入する所定幅で所定深さの溝が全周に及んで形成されていることを特徴とする請求項４記載のイカ又はサンマ類輸送用断熱容器を提供するものである。
【００１３】
請求項６に係る発明は、請求項１乃至５のうちいずれか一に記載のイカ又はサンマ類輸送用断熱容器に於ける前記複数の区画室の少なくとも一室に一室当たり一匹のイカ又はサンマ類を収納し、前記スペースに保冷材を収納することを特徴とするイカ又はサンマ類輸送用断熱容器の使用方法を提供するものである。
【発明の効果】
【００１４】
本発明の請求項１記載の発明によれば、イカ又はサンマ類を傷めたり、白く変色させたり、腐らせたりすることなく、長時間にわたり鮮度を保持できる、取扱い容易なイカ又はサンマ類輸送用断熱容器を提供することができる。
又、保冷材を用いることにより、長時間の保冷が可能になると共に、イカ又はサンマ類を上から冷却できるために冷却効率が良く、更に、保冷材は、氷に較べてコンパクトであるため、イカ又はサンマ類輸送用断熱容器の内部空間のスペース効率を高めることができる。
【００１５】
請求項２記載の発明によれば、請求項１記載の発明の効果に加え、前記底部は平面視略方形状に形成され、前記内部空間は直交する１乃至複数の縦板と１乃至複数の横板とで区画されるので、区画室を縦横に整然と効率良く形成することができる。
【００１６】
請求項３記載の発明によれば、請求項１又は２に記載の発明の効果に加え、前記区画板は、前記底部及び周壁部と一体に形成されているので、容器本体との一体成型で区画板を成型することができ、区画板の成型が容易であると共に、区画板の容器本体との接合強度を高めることができる。
【００１７】
請求項４記載の発明によれば、請求項１乃至３のうちいずれか一に記載の発明の効果に加え、前記周壁部の上端内側部には上方に所定幅で所定高さ突出する内側周壁部が形成され、前記底部下面外周部近傍には、前記内側周壁部を挿入できる所定幅で所定深さの溝が全周に及んで形成されているので、内側周壁部を溝に挿入することにより、複数のイカ又はサンマ類輸送用断熱容器を安定性良く上下に積重ねることができる。
【００１８】
請求項５記載の発明によれば、請求項４記載の発明の効果に加え、前記周壁部上端に蓋をするための蓋体を備え、前記蓋体は、下面外周部近傍に、前記内側周壁部を挿入する所定幅で所定深さの溝が全周に及んで形成されているので、蓋体で断熱効率良く蓋をすることができる。
【００１９】
請求項６記載の発明によれば、一室当たり一匹のイカ又はサンマ類を収納するので、従来例の如くイカ又はサンマ類が互いの接触により、色が白く変色したり、鮮度が低下するというトラブルの発生がなくなると共に、スペースに保冷材を収納することにより、氷を用いる煩雑さや、解けた氷の漏水の問題がなくなり、且つ、保冷材でイカ又はサンマ類を上から冷やすことができるので冷却効率を高めることができ、長時間にわたりイカ又はサンマ類の鮮度を保持できる。
【図面の簡単な説明】
【００２０】
【図１】（ａ）本発明のイカ又はサンマ類輸送用断熱容器の平面図である。（ｂ）本発明のイカ又はサンマ類輸送用断熱容器の正面縦断面図である。（ｃ）本発明のイカ又はサンマ類輸送用断熱容器の側面縦断面図である。
【図２】本発明のイカ又はサンマ類輸送用断熱容器にイカ及び保冷材を収納した状態を示す正面縦断面図である。
【図３】（ａ）本発明の変形例のイカ又はサンマ類輸送用断熱容器の平面図である。（ｂ）本発明の変形例のイカ又はサンマ類輸送用断熱容器の正面縦断面図である。（ｃ）本発明の変形例のイカ又はサンマ類輸送用断熱容器の側面縦断面図である。
【図４】本発明のイカ又はサンマ類輸送用断熱容器と変形例のイカ又はサンマ類輸送用断熱容器とを組み合わせた使用例を示す正面縦断面図である。
【図５】（ａ）本発明の試作品のイカ又はサンマ類輸送用断熱容器にイカを収納した状態を示す写真図である。（ｂ）本発明の試作品のイカ又はサンマ類輸送用断熱容器にイカを収納し、所定時間経過後の状態を示す写真図である。
【図６】（ａ）従来例の輸送用断熱容器にイカを収納した状態を示す写真図である。（ｂ）従来例の輸送用断熱容器にイカを収納し、所定時間経過後の状態を示す写真図である。
【発明を実施するための形態】
【００２１】
以下、実施例を示した図面を参照しつつ本発明の実施の形態を説明する。
図１に於いて、１は、本発明のイカ又はサンマ類輸送用断熱容器であり、イカ又はサンマ類輸送用断熱容器１は、底部２及び周壁部３を備えた上端開放の、例えば発泡スチロール等の発泡合成樹脂で形成される断熱容器であって、断熱容器の内部空間４が、上部に保冷材５を収納するスペース６（保冷材５を収納できる大きさに形成された空間）を残して、所定高さの区画板７，７…により上端開放の複数の区画室８，８…に区画され、複数の区画室８，８…に夫々一匹のイカ又はサンマ類（一室当たり一匹のイカ又はサンマ類）を収納し、スペース６に保冷材５を収納できるように構成したものである。
尚、サンマ類とは、サンマ科に属する魚をさす。但し、本発明に於いては、刺身用等に用いることができる鮮度の高い高級魚としてのサンマ類を主な対象としている。
【００２２】
そして、前記底部２は平面視略方形状に形成され、前記内部空間４は直交する１乃至複数の縦板と１乃至複数の横板とから成る区画板７，７…で区画されている。
前記区画板７，７…は、底部２及び周壁部３と一体成型により一体に形成されている。
【００２３】
又、前記周壁部３の上端内側部には上方に所定幅で所定高さ突出する内側周壁部２１が平面視略方形状に形成され、前記底部２下面外周部近傍には、内側周壁部２１を挿入できる所定幅で所定深さの溝２２が全周に及んで平面視略方形状に形成されている。
【００２４】
次に、前記イカ又はサンマ類輸送用断熱容器１の使用方法について説明する。
図２及び図５（ａ）に示すように、前記イカ又はサンマ類輸送用断熱容器１に於ける複数の区画室８，８…の少なくとも一室に一室当たり一匹のイカ又はサンマ類（図はイカを示す）２３を収納し、スペース６に例えば２個の保冷材５，５を収納する。この時、内部空間４は上端が密閉されていないが、保冷材５，５の冷気は下降してイカ又はサンマ類２３，２３…を冷却するため、イカ又はサンマ類２３，２３…は冷却される。
又、イカ又はサンマ類２３は、区画室８の一室当たり一匹収納されるので、従来例の如く、イカ又はサンマ類２３，２３の互いの接触により、色が白く変色したり、鮮度が低下したり、腐ったりするという問題は発生しない。
図５（ｂ）は前記イカ又はサンマ類輸送用断熱容器１の区画室８に収納されたイカ（２３）が時間が経過しても、白く変色していないことを示している。
このように、前記イカ又はサンマ類輸送用断熱容器１によれば、長時間にわたりイカ又はサンマ類２３の鮮度を保持できる。
【００２５】
図３に於いて、３１は、前記イカ又はサンマ類輸送用断熱容器（図１に於いて１）の変形例のイカ又はサンマ類輸送用断熱容器を示し、イカ又はサンマ類輸送用断熱容器３１は、前記イカ又はサンマ類輸送用断熱容器１の周壁部３上端に蓋をするための蓋体３２を備えたものであり、蓋体３２は、下面外周部近傍に、内側周壁部２１を挿入するための所定幅で所定深さの溝３３が全周に及んで平面視略方形状に形成されている。
【００２６】
従って、図３に示すように、前記イカ又はサンマ類輸送用断熱容器３１に於いて、複数の区画室８，８…の少なくとも一室に一室当たり一匹のイカ又はサンマ類（図はイカを示す）２３を収納し、スペース６に例えば２個の保冷材５，５を収納し、溝３３に内側周壁部２１を挿入することにより、周壁部３上端に蓋体３２で蓋をすれば、内部空間４内を略密閉して断熱することができる。
この時、保冷材５，５の冷気は下降してイカ又はサンマ類２３を冷却するが、蓋体３２により、冷気が外方に漏れることもなくなるため、イカ又はサンマ類２３は効率良く冷却される。又、一室当たり一匹のイカ又はサンマ類２３を収納するので、イカ又はサンマ類２３どうしが接触することなく、長時間にわたりイカ又はサンマ類２３の鮮度を保持できる。
【００２７】
図４は、前記イカ又はサンマ類輸送用断熱容器１及び３１の組み合わせによる使用例を示したものである。
図４に示すように、前記イカ又はサンマ類輸送用断熱容器１は、内側周壁部２１及び溝２２を備えているので、イカ又はサンマ類輸送用断熱容器１の内側周壁部２１を他のイカ又はサンマ類輸送用断熱容器１の溝２２に挿入することにより、複数のイカ又はサンマ類輸送用断熱容器１，１…を複数段に積重ねることができ、前記イカ又はサンマ類輸送用断熱容器３１は、溝２２を備えているので、複数のイカ又はサンマ類輸送用断熱容器１，１…の最上段のイカ又はサンマ類輸送用断熱容器１の内側周壁部２１をイカ又はサンマ類輸送用断熱容器３１の溝２２に挿入することにより、複数のイカ又はサンマ類輸送用断熱容器１，１…の最上段にイカ又はサンマ類輸送用断熱容器３１を重ねることができる。
図４では、イカ又はサンマ類輸送用断熱容器１が２段積重ねられ、その上にイカ又はサンマ類輸送用断熱容器３１が積重ねられているが、イカ又はサンマ類輸送用断熱容器１は、イカ又はサンマ類輸送用断熱容器自体の強度の許容範囲内で何段でも積み重ねが可能である。
又、図４に示したようなイカ又はサンマ類輸送用断熱容器１及び３１の組み合わせを１ユニットとして、複数ユニット積重ねることも可能である。
尚、本発明のイカ又はサンマ類輸送用断熱容器は、イカ又はサンマ類のために発明されたものであるが、これらに限定されるものではなく、その他の鮮魚や、その他の水産物、肉類、及びその他の食品類等、互いに接触させない方が良いもの、又は、効率の良い冷却や、長時間の冷却を必要とするもの等に対して好適に用いることができる。
【符号の説明】
【００２８】
１，３１  イカ又はサンマ類輸送用断熱容器
２  底部
３  周壁部
４  内部空間
５  保冷材
６  スペース
７  区画板
８  区画室
２１  内側周壁部
２２，３３  溝
２３  イカ又はサンマ類
３２  蓋体
【図１】
2012006612.tif 000003
【図２】
2012006612.tif 000004
【図３】
2012006612.tif 000005
【図４】
2012006612.tif 000006
【図５】
2012006612.tif 000007
【図６】
2012006612.tif 000008